(57)【要約】【課題】半密封式の食品包装容器よりも密封性を向上させながら、内圧の上昇を抑制することができる食品包装容器を提供する。【解決手段】本発明の食品包装容器は、密封可能な食品包装容器（１）である。食品包装容器（１）は、内面（１６）を有する容器本体（２）と、蓋（４）とを有する。蓋（４）は、天板（２６）と、その周縁から上方に延び且つ容器本体（２）の内面（１６）に密封的に押付け可能な内壁（３０）とを含む。容器本体（２）は、食品包装容器（１）が密封されているときに食品包装容器（１）の外部と連通し且つその内部と隔絶した溝（５０）を有する。天板（２６）及び内壁（３０）は、食品包装容器（１）の内部と溝（５０）とを連通させるように、食品包装容器（１）の内圧の上昇によって変形又は移動できるようになっている。【選択図】      図１
2005008250.tif 000002
【特許請求の範囲】
【請求項１】
密封可能な食品包装容器であって、
内面を有する容器本体と、
天板と、この天板の周縁から上方に延び且つ前記容器本体の内面に密封的に押付け可能な内壁と、を含む蓋と、を有し、
前記容器本体及び前記蓋の少なくとも一方は、食品包装容器が密封されているときに食品包装容器の外部と連通し且つその内部と隔絶した空気通路を有し、
前記天板及び前記内壁は、食品包装容器の内部と前記空気通路とを連通させるように、食品包装容器の内圧の上昇によって変形又は移動できるようになっていることを特徴とする食品包装容器。
【請求項２】
前記蓋の内壁は、前記容器本体の内面に密封的に押付けられる下端部を有し、前記空気通路の端部は、前記下端部の上方に配置され、食品包装容器の内圧が上昇したとき、前記天板は、前記内壁の下端部を横方向内方に移動させるように弾性的に変形し、且つ、前記内壁は、その下端部の上方に隣接した部分が前記内面から離れて前記空気通路の端部と食品包装容器の内部とを連通させるように弾性的に変形する、請求項１に記載の食品包装容器。
【請求項３】
前記蓋の内壁は、前記容器本体の内面に密封的に押付けられる下端部を有し、前記空気通路の端部は、前記容器本体に且つ前記下端部の上方に配置され、食品包装容器の内圧が上昇したとき、前記天板及び前記内壁は、前記下端部を前記内面に沿って上方に移動させるように上方に移動する、請求項１に記載の食品包装容器。
【請求項４】
前記食品包装容器は、食品包装容器の内圧が減少したときに前記天板及び前記内壁を下方に移動させるように付勢する付勢手段を有する、請求項３に記載の食品包装容器。
【請求項５】
前記蓋は、前記内壁の上端から横方向外方に延びる上壁と、前記上壁の周縁から下方に延びる外壁を更に有し、前記内壁及び前記外壁は、それらの間隔が上方から下方に向って小さくなるように配置され且つそれらの間隔を弾性的に広げることできるように構成され、前記容器本体は、前記内壁、前記上壁及び前記外壁に係合する本体側壁を有し、この本体側壁は、前記天板、前記内壁、前記上壁及び前記外壁が上方に移動したときに前記内壁と前記外壁の間隔を広げるための拡張部を含み、前記付勢手段は、前記内壁、前記上壁、前記外壁及び前記本体側壁によって構成される、請求項４に記載の食品包装容器。
【請求項６】
前記食品包装容器は、上方に移動した前記天板及び前記内壁を係止させる係止手段を有する、請求項３又は４に記載の食品包装容器。
【請求項７】
前記空気通路は、前記容器本体の内面に設けられた溝である、請求項１に記載の食品包装容器。
【発明の詳細な説明】
【０００１】
【発明の属する技術分野】
本発明は、食品包装容器に係わり、更に詳細には、密封可能な食品包装容器に関する。
【０００２】
【従来の技術】
キムチ、金山寺味噌、ワサビ付けなどの発酵食品を収容する密封可能な食品包装容器が知られている。この食品包装容器を流通させたとき、収容している食品が発酵して、食品包装容器の内圧が上昇し、食品包装容器が膨れることがある。また、この食品包装容器の内圧の上昇を防ぐために、食品包装容器の内部と外部とを連通させる連通溝や連通孔を、食品包装容器の容器本体又は蓋に設けた半密封式の食品包装容器も知られている（例えば、特許文献１及び２参照）。
【０００３】
【特許文献１】
登録実用新案３０２０５４７号公報  （第４図、第５図、第８図）
【特許文献２】
特開平１１−３１４６７９号公報  （第３図）
【０００４】
【発明が解決しようとする課題】
しかしながら、上述の半密封式の食品包装容器では、容器の内部と外部とが常に連通した状態にあるため、発酵によって生じた食品包装容器の内部の匂いが常に外部に漏れる。また、特に液体を含む食品、例えば、キムチの場合には、容器を傾けると、液体が外に流れ出たり、連通溝や連通孔を塞いだ液体が食品包装容器の内圧の上昇によって押出されたりして、食品包装容器の周りを汚してしまう。更に、連通溝や連通溝を通じて雑菌が混入するおそれがある。雑菌が混入すると、食品の腐敗を早めたり、発酵食品本来の風味が損なわれるおそれがある。
【０００５】
そこで、本発明は、半密封式の食品包装容器よりも密封性を向上させながら、食品包装容器の内圧の上昇を抑制することができる食品包装容器を提供することにある。
【０００６】
【課題を解決するための手段】
上記目的を達成するために、本発明による食品包装容器は、密封可能な食品包装容器であって、内面を有する容器本体を有し、天板と、この天板の周縁から上方に延び且つ容器本体の内面に密封的に押付け可能な内壁と、を含む蓋を更に有し、容器本体及び蓋の少なくとも一方は、食品包装容器が密封されているときに食品包装容器の外部と連通し且つその内部と隔絶した空気通路を有し、天板及び内壁は、食品包装容器の内部と空気通路とを連通させるように、食品包装容器の内圧の上昇によって変形又は移動できるようになっていることを特徴としている。
【０００７】
このように構成された食品包装容器では、食品を食品包装容器に収容した直後、食品包装容器を容器本体の内面とこの内面に押付けられる蓋の内壁とによって密封することができる。その後、食品が発酵等して、食品包装容器の内圧が徐々に上昇すると、蓋の天板及び内壁が変形又は移動する。例えば、天板がその中央部分が持ち上がるように撓んだり、蓋全体が上方に押しやられる。それにより、隔絶されていた空気通路と食品包装容器の内部とを連通させる。かくして、食品包装容器の内部の空気が空気通路を通って食品包装容器の外部に抜け、食品包装容器の内圧の上昇を抑制することができる。本発明の食品包装容器は、従来技術の半密封式の食品包装容器と異なり、食品を収容した直後から食品包装容器の内部の空気が抜けるまでの間、密封状態が保たれる。その結果、密封状態が保たれている間、食品の匂いや液体成分の漏れ及び雑菌の混入を防止することができる。
【０００８】
空気通路は、本体容器に設けられていても良いし、蓋に設けられていても良いし、両方に設けられていても良い。また、空気通路は、例えば、溝、孔である。本体容器の形状は、円筒形であるのが好ましいが、密封できれば、輪郭が多角形の筒形状であっても良い。
【０００９】
本発明の食品包装容器において、好ましくは、蓋の内壁は、容器本体の内面に密封的に押付けられる下端部を有し、空気通路の端部は、下端部の上方に配置され、食品包装容器の内圧が上昇したとき、天板は、内壁の下端部を横方向内方に移動させるように弾性的に変形し、且つ、内壁は、その下端部の上方に隣接した部分が内面から離れて空気通路の端部と食品包装容器の内部とを連通させるように弾性的に変形する。
【００１０】
このように構成された食品包装容器では、食品包装容器の内部の空気が空気通路を通って抜けた後、空気通路と食品包装容器内部とを再び隔絶させることができる。詳細に説明すると、食品包装容器は、最初、蓋の内壁の下端部が容器本体の内面に弾性的に押付けられることによって密封されている。食品包装容器の内圧が徐々に上昇すると、天板の中央部分が持ち上がるように撓み、それに応じて、内壁の下端部が内面から離れるように横方向内方に移動する。更に、食品包装容器の内圧が上昇すると、内壁の下端部及びその上方に隣接した部分が内面から離れ、内壁と本体容器の間に隙間ができ、空気通路の端部と食品包装容器の内部とを連通させる。その結果、食品包装容器の内部の空気が空気通路を通って食品包装容器の外部に抜ける。空気が抜けると、食品包装容器の内圧が減少する。天板及び内壁の弾性により、天板の撓みが減少し、内壁の下端部が横方向外方に移動し、再び、蓋の内壁の下端部が容器本体の内面に密封的に押付けられる。かくして、空気通路と食品包装容器の内部とが再び隔絶される。その結果、食品を収容した直後から食品包装容器の内部の空気が抜けるまでの間だけでなく食品包装容器の内部の空気を抜いた後も、食品包装容器を密封状態に保つことができる。空気通路の端部は、下端部の近傍にあることが好ましい。
【００１１】
本発明の食品包装容器において、好ましくは、蓋の内壁は、容器本体の内面に密封的に押付けられる下端部を有し、空気通路の端部は、容器本体に且つ下端部の上方に配置され、食品包装容器の内圧が上昇したとき、天板及び内壁は、下端部を内面に沿って上方に移動させるように上方に移動する。
【００１２】
このように構成された食品包装容器では、蓋の天板の撓みを利用する上述の構成と異なる構成で、食品包装容器の内部の空気を空気通路を通して抜くことができる。詳細に説明すると、食品包装容器は、最初、蓋の内壁の下端部が容器本体の内面に密封的に押付けられることによって密封されている。食品包装容器の内圧が徐々に上昇すると、蓋全体が上方に移動し、それに応じて、内壁の下端部が容器本体の内面に沿って上方に移動する。更に、食品包装容器の内圧が上昇すると、内壁の下端部は、空気通路の端部まで移動し、空気通路の端部と食品包装容器の内部とを連通させる。その結果、食品包装容器の内部の空気が空気通路を通って食品包装容器の外部に抜ける。その結果、食品包装容器は、食品を収容した直後から食品包装容器の内部の空気が抜けるまでの間、密封状態が保たれる。
【００１３】
この食品包装容器において、更に好ましくは、食品包装容器は、食品包装容器の内圧が減少したときに天板及び内壁を下方に移動させるように付勢する付勢手段を有する。
【００１４】
このように構成された食品包装容器では、空気通路と食品包装容器内部とを再び隔絶させることができる。詳細に説明すると、付勢手段による天板及び内壁を下方に移動させる力よりも食品包装容器の内圧が大きくなると、上述のように、蓋全体が上方に移動し、空気通路の端部と食品包装容器の内部とを連通させる。その結果、食品包装容器の内部の空気が空気通路を通って食品包装容器の外部に抜ける。空気が抜けると、食品包装容器の内圧が減少する。付勢手段による天板及び内壁を下方に移動させる力が食品包装容器の内圧よりも大きくなり、天板及び内壁を下方に移動させる。それに応じて、内壁の下端部は、内面に沿って下方に移動して、溝の端部から離れる。かくして、溝と食品包装容器の内部とが再び隔絶される。付勢手段は、例えば、一端が本体容器に固定され且つ他端が蓋を下方に押し下げるように蓋に当接する弾性的な板等である。
【００１５】
この食品包装容器において、更に好ましくは、蓋は、内壁の上端から横方向外方に延びる上壁と、上壁の周縁から下方に延びる外壁を更に有し、内壁及び外壁は、それらの間隔が上方から下方に向って小さくなるように配置され且つそれらの間隔を弾性的に広げることできるように構成され、容器本体は、内壁、上壁及び外壁に係合する本体側壁を有し、この本体側壁は、天板、内壁、上壁及び外壁が上方に移動したときに前記内壁と前記外壁の間隔を広げるための拡張部を含み、付勢手段は、内壁、上壁、外壁及び本体側壁によって構成される。
【００１６】
このように構成された食品包装容器では、食品包装容器が密封されているとき、蓋の容器の内壁、上壁及び外壁は、本体容器の側壁に係合している。食品包装容器の内圧が徐々に上昇して蓋全体を上方に移動させると、拡張部によって、内壁と外壁の間隔が弾性的に広げられる。内壁と外壁が元に戻ろうとする力は、拡張部によって、蓋全体を下方に移動させる力に変換される。空気が抜け、食品包装容器の内圧が減少すると、上述の変換された力により、蓋全体が下方に移動する。
【００１７】
また、天板及び内壁が上方に移動する上述の食品包装容器において、好ましくは、食品包装容器は、上方に移動した天板及び内壁を係止させる係止手段を有する。
【００１８】
係止手段により、蓋が上方に移動して蓋が外れてしまうことを防止することができる。更に付勢手段を有している食品包装容器においては、天板及び内壁を確実に下方に移動させるために、天板及び内壁の移動距離を制限することができる。
【００１９】
本発明の食品包装容器において、好ましくは、空気通路は、容器本体の内面に設けられた溝である。
【００２０】
【発明の実施の形態】
以下、図面を参照して、本発明による食品包装容器の実施形態を説明する。図１は、本発明による食品包装容器の分解縦断面図である。本実施形態の食品包装容器は、ほぼ円筒形である。以下、用語「内」は、半径方向内方を指示し、用語「外」は、半径方向外方を指示するものとする。
【００２１】
図１に示すように、食品包装容器１は、容器本体２及び蓋４を有している。容器本体２は、底壁６と、底壁６の周縁から上方に延びる本体側壁８と、本体側壁８の外側に配置された環状の本体外壁１０とを有している。底壁６は、ほぼ円盤状である。本体側壁８は、ほぼ円筒形であるが、上に向って広がっている。本体側壁８は、底壁６に隣接した下部分１２と、下部分１２に隣接してその上に配置された上部分１４とを含んでいる。上部分１４は、下部分１２よりも肉厚である。上部分１４は、内面１６と、上面１８と、外面２０とを有している。本体外壁１０は、本体側壁８の上部分１４の周りに配置されている。本体外壁１０は、本体側壁８の下部分１２と上部分１４との間の境界から横方向外方に延びる環状の底部分２２と、底部分２２の周縁から上方に延びる環状の筒部分２４とを有している。筒部分２４と本体側壁８の上部分１４との間の距離は、本体側壁８の円周方向にほぼ一定である。
【００２２】
蓋４は、天板２６と、天板２６の周りに配置された環状の蓋側壁２８とを有している。天板２６は、ほぼ円盤状である。蓋側壁２８は、その断面がほぼ逆Ｕ字形状である。詳細には、蓋側壁２８は、天板２６の周縁から上方に延びる蓋内壁３０と、蓋内壁３０の上端から横方向外方に延びる蓋上壁３２と、蓋上壁３２の周縁から下方に延びる蓋外壁３４とを有している。容器本体２に取りつけた蓋４を一点鎖線で図１に示す。蓋内壁３０、蓋上壁３２及び蓋外壁３４はそれぞれ、本体側壁８の上部分１４の内面１６、上面１８及び外面２０に係合可能である。容器本体２と蓋４との係合については、後で詳細に説明する。
【００２３】
容器本体２及び蓋４は、好ましくは、プラスチック材料を成形して作られる。プラスチック材料は、例えば、ポリスチレン、ポリプロピレン、ポリエチレン、ポリ塩化ビニル、ポリエチレンテレフタレートである。容器本体２の底壁６、本体側壁８、蓋の天板２６等は、強度及びデザイン等の観点から、凹凸が設けられていることが好ましい。
【００２４】
次に、図１〜図４を参照して、容器本体２を更に詳細に説明する。図２は、容器本体の部分的な平面図である。図３は、容器本体の一部分の拡大右側面図である。図４は、本体外壁の一部分を取外した容器本体の一部分の拡大右側面図である。
【００２５】
図１〜図３に示すように、本体外壁１０の筒部分２４は、容器本体２から取外し可能な取外し部３８を含んでいる。詳細には、本体外壁１０の筒部分２４は、円周方向に間隔を隔てた２つの薄肉部４０を有しており、この薄肉部４０の間の部分により、取外し部３８が構成されている。取外し部３８と隣接した本体外壁１０の底部分２２は、切欠き４２を有している。薄肉部４０の肉厚は、取外し部３８を容器本体２から手で取外すことができるような厚さであり、例えば、０．１ｍｍ〜０．３ｍｍである。取外し部３８は、その上端部から外方に延びる拡張部４４と、その上下方向中間部から内方に延びる突出部４６とを有する。突出部４６については、後で詳細に説明する。
【００２６】
図４には、薄肉部４０を破壊して、取外し部３８を取外した容器本体２を示している。図１及び４に示すように、取り外し部３８と対向する本体側壁８の上部分１４の外面２０に、凹部４８が設けられている。凹部４８は、本体側壁８の下部分１２と面一に且つ連続に形成されている。また、本体側壁８の上部分１４の内面１６には、上下方向に延びる溝５０が設けられている。溝５０については、後で詳細に説明する。
【００２７】
次に、図５を参照して、容器本体２と蓋４との係合部分を詳細に説明する。図５は、食品包装容器の係合部分の拡大断面図である。
【００２８】
図５に示すように、蓋内壁３０、蓋上壁３２及び蓋外壁３４はそれぞれ、本体側壁８の上部分１４の内面１６、上面１８及び外面２０に係合している。蓋内壁３０は、下端部５２を含んでいる。この下端部５２の外径は、下端部５２が係合する上部分１４の内面１６の内径よりも僅かに大きくなっており、その結果、下端部５２が内面１６と係合するとき、蓋内壁３０、特に、その下端部５２が内面１６に弾性的に押し付けられるようになっている。この弾性的な押し付けにより、容器本体２と蓋４とは密封される。これに対し、蓋上壁３２と上面１８及び蓋外壁３４と外面２０は、互いに弾性的に押付けられていない。そのため、蓋上壁３２と上面１８の間及び蓋外壁３４と外面２０の間の少なくとも一部分には、空気が通る通路が形成されている（図示せず）。
【００２９】
溝５０は、本体側壁８の上部分１４の内面１６に形成されている。溝５０は、上面１８から下方に延び、その下方の端部は、蓋内壁３０の下端部５２の上方に配置されている。かくして、食品包装容器１が密封されているとき、溝５０は、食品包装容器１の外部と連通しているが、食品包装容器１の内部とは隔絶されている。溝５０は、好ましくは、幅が０．５〜１．５ｍｍであり、深さが０．１〜０．５ｍｍである。
【００３０】
蓋４の天板２６は、食品包装容器１の内圧が上昇したとき、天板２６の中央部分が持ち上がるように撓み可能である。それに応じて、蓋内壁３０の下端部５２は、本体側壁８の上部分１４の内面１６から離れるように横方向内方に移動可能である。（図６参照）。また、蓋内壁３０の下端部５２は、上部分１４の内面１６に沿って上下方向に移動可能である。それに伴い、蓋４全体、即ち、天板２６、蓋内壁３０、蓋上壁３２及び蓋外壁３４も上下方向に移動可能である（図６参照）。
【００３１】
蓋内壁３０と蓋外壁３４は、それらの間隔が上方から下方に向って小さくなるように配置されている。更に、蓋内壁３０と蓋外壁３４は、それらの間隔を弾性的に広げることが可能である。また、本体側壁８の上部分１４の外面２０は、外方に拡張され且つ丸みが付けられた拡張部５４を含んでいる。拡張部５４は、蓋４、即ち、天板２６及び蓋側壁２８が上方に移動したときに蓋内壁３０と蓋外壁３４の間隔を広げることが可能である。天板２６及び蓋側壁２８が上方に移動したときに蓋内壁３０と蓋外壁３４が弾性的に元に戻ろうとする力は、拡張部５４によって、蓋４全体を下方に移動させる力に変換される。かくして、蓋側壁２８及び本体側壁８は、蓋４全体を下方に付勢させる要素を構成する。上述の下方に移動させる力は、蓋４の上方への移動距離が大きいとき、生じないことがある。蓋４の移動距離は、０．５〜１．０ｍｍであるのが好ましい。
【００３２】
蓋外壁３４は、それから下方に且つ外方に延びる延長部５６を有している。延長部５６は、蓋４が上方に移動したとき、取り外し部３８の突出部４６に当接するようになっている。それにより、上方に移動した蓋４が係止される。延長部５６と突出部４６との位置関係を、蓋４の上方への移動距離を制限するように構成することが好ましい。
【００３３】
次に、本発明の実施形態である食品包装容器の作用について説明する。
【００３４】
先ず、蓋４の取付け及び取外しについて説明する。取外し部３８は、最初、本体外壁１０の筒部分２４に連結されている。食品を本体容器２に収容し、蓋４を本体容器２に取付けると、蓋外壁３４がその全周にわたって筒部分２４によって覆われるので、蓋外壁３４を下方から押上げることができなくなる。その結果、蓋４を本体容器２から取外せなくなる。蓋を取外すときには、取外し部３８の拡張部４４を手で押し下げて、薄肉部４０を破壊し、取外し部３８を容器本体２から取外す。それにより、蓋外壁３４の一部が本体外壁１０の筒部分２４から露出する。蓋外壁３４を下方から押上げ、蓋４を本体容器２から取外す。凹部４８が設けられているので、蓋外壁３４の下方に指を配置して、蓋外壁を指で容易に押上げることができる。蓋４の取外しを更に容易にするために、溝５０を取り外し部３８と整列させて設けることが好ましい。
【００３５】
次に、図５及び図６を参照して、食品包装容器の内圧が上昇したときの食品包装容器の動作を説明する。図６は、食品包装容器の内圧が上昇したときの、食品包装容器の係合部分の拡大断面図である。
【００３６】
食品を本体容器２に収容した直後、蓋４を本体容器２に取付けることによって、食品包装容器１を密封する。食品包装容器１は、蓋内壁３０、特にその下端部５２が内面１６に弾性的に押付けられることによって密封されている（図５参照）。その後、食品が発酵等すると、食品包装容器１の内圧が徐々に上昇する。それにより、蓋４の天板２６は、その中央部分が持ち上がるように撓み、それと同時に、蓋４全体が本体容器２に対して上方に押され、移動する（図６参照）。以下、天板２６の撓みと、蓋４全体の移動とを別々に説明する。
【００３７】
先ず、天板２６の撓みについて説明する。天板２６の中央部分が持ち上がるように撓むと、それに応じて、蓋内壁３０の下端部５２が本体側壁８の上部分１４の内面１６から離れるように横方向内方に移動する。更に、食品包装容器１の内圧が上昇すると、蓋内壁３０の下端部５２及びその上方に隣接した部分が内面１６から離れ、蓋内壁３０と本体容器２の内面１６との間に隙間ができる。この隙間は上方に広がり、ついには、溝５０の端部に達する。かくして、空気通路の端部と食品包装容器１の内部とを連通させる。その結果、食品包装容器１の内部の空気が溝５０を通って食品包装容器１の外部に抜ける。空気が抜けると、食品包装容器１の内圧が減少する。天板２６及び蓋内壁３０の弾性により、天板２６の撓みが減少し、下端部５２が横方向外方に移動し、再び、蓋内壁３０、特にその下端部５２が内面１６に押付けられ、密封される。かくして、溝５０と食品包装容器１の内部とが再び隔絶される。
【００３８】
次に、蓋４全体の移動について説明する。食品包装容器１の内圧が徐々に上昇すると、蓋側壁２８及び本体側壁８が蓋４を下方に付勢する力よりも内圧が大きくなり、蓋４全体が上方に移動する。それに応じて、蓋内壁３０の下端部５２は、内面１６に沿って上方に移動する。更に、食品包装容器１の内圧が上昇すると、下端部５２は、溝５０の端部まで移動し、溝５０と食品包装容器１の内部とを連通させる。その結果、食品包装容器１の内部の空気が溝５０を通って食品包装容器１の外部に抜ける。この時点で、延長部５６が突出部４６に当接していることが好ましい。空気が抜けると、食品包装容器１の内圧が減少する。蓋側壁２８及び本体側壁８が蓋４を下方に付勢する力が内圧よりもが大きくなると、蓋４全体が下方に移動する。それに応じて、蓋内壁３０の下端部５２は、内面１６に沿って下方に移動して、溝５０の端部から離れる。かくして、溝５０と食品包装容器１の内部とが再び隔絶される。
【００３９】
本発明の実施形態では、上述した天板２６の撓みによる作用と蓋４全体の移動による作用とが組み合わされている。蓋、本体容器の厚さ及びその他の寸法等に応じて、天板２６の撓みによる作用の方が主となったり、蓋４全体の移動による作用が主となったりする。
【００４０】
以上、本発明の実施形態を説明したけれども、本発明は、この実施形態に限定されることなく、特許請求の範囲に記載された発明の範囲内で種々の変更が可能であり、それらも本発明の範囲内に包含されるものであることはいうまでもない。
【００４１】
上述の実施形態では、食品包装容器１は、１つの溝５０を有していたけれども、溝５０の寸法、数、配置等は任意である。食品包装容器１の内圧が徐々に上昇する場合には、溝５０の数は、一般的には、１つで十分である。また、主として天板２６の撓みによる作用を利用する場合には、溝５０の端部は、蓋内壁３０の下端部５２の近傍に配置することが好ましい。また、主として蓋４全体の移動による作用を利用する場合には、溝５０の端部と蓋内壁３０の下端部５２とは離れていても良い。
【００４２】
上述の実施形態では、溝５０を用いたけれども、孔であっても良い。
【００４３】
上述の実施形態では、食品包装容器１は、ほぼ円筒形であったが、蓋と本体容器とが密封されれば、食品包装容器１の形状は、輪郭が多角形、例えば四角形の筒形状であっても良い。
【００４４】
上述の実施形態では、突出部４６を取り外し部３８に設けたが、突出部４６の個数及び配置は任意である。
【００４５】
【発明の効果】
以上説明した通り、本発明の食品包装容器によれば、半密封式の食品包装容器よりも密封性を向上させながら、食品包装容器の内圧の上昇を抑制することができる。
【図面の簡単な説明】
【図１】図２の線Ｉ−Ｉにおける本発明による食品包装容器の分解縦断面図である。
【図２】本発明による食品包装容器の容器本体の部分的な平面図である。
【図３】図２の容器本体の一部分の拡大右側面図である。
【図４】外壁の一部分を取外した図２の容器本体の一部分の拡大右側面図である。
【図５】本発明による食品包装容器の一部分の拡大断面図である。
【図６】食品包装容器の内圧が上昇したときの、本発明による食品包装容器の一部分の拡大断面図である。
【符号の説明】
１    食品包装容器
２    容器本体
４    蓋
８    本体側壁
１６  内面
１８  上面
２０  外面
２６  天板
２８  蓋側壁
３０  蓋内壁
３２  蓋上壁
３４  蓋外壁
４６  突出部
５０  溝
５２  下端部
５４  拡張部
【図１】
2005008250.tif 000003
【図２】
2005008250.tif 000004
【図３】
2005008250.tif 000005
【図４】
2005008250.tif 000006
【図５】
2005008250.tif 000007
【図６】
2005008250.tif 000008